(57)【要約】【課題】散水範囲内において散水むらなく、満遍なく散水を行うことができるノズル構造を提供する。【解決手段】送水管の先端に連通する吐水管１０を、送水管に連通するノズルパイプ１と該ノズルパイプ１の先端の吐出口２２・２３に取り付けるノズル３・４より構成し、該ノズルパイプ１内に直線状の遠距離用送水通路２４と、途中から斜めに延設した近距離用送水通路２５とを構成して二股に分岐し、遠距離用送水通路２４の吐出口２２に遠距離用ノズル４を、近距離用送水通路２５の吐出口２３に近距離用ノズル３を、それぞれ取り付けた。【選択図】        図１
2005007356.tif 000002
【特許請求の範囲】
【請求項１】
送水管の先端に連通する吐水管を、送水管に連通するノズルパイプと該ノズルパイプの先端の吐出口に取り付けるノズルより構成し、該ノズルパイプ内に直線状の遠距離用送水通路と、途中から斜めに延設した近距離用送水通路とを構成して二股に分岐し、遠距離用送水通路の吐出口に遠距離用ノズルを、近距離用送水通路の吐出口に近距離用ノズルを、それぞれ取り付けたことを特徴とするノズル構造。
【請求項２】
前記ノズルパイプは、ノズルパイプの長手方向を中心に１８０度回転可能に装着されることを特徴とする請求項１に記載のノズル構造。
【請求項３】
前記遠距離用ノズルのノズル孔は、流入口から吐出口へ行くに従って小径に形成し、該ノズル孔の内壁における流入口側端から吐出口側端へかけて溝を形成したことを特徴とする請求項１、または、請求項２に記載のノズル構造。
【発明の詳細な説明】
【０００１】
【発明の属する技術分野】
本発明は、果樹園等において防除や散水を行うことができる防除機のノズル構造に関する。
【０００２】
【従来の技術】
従来から、果樹園において防除や散水を行ったり、ゴルフ場や畑等の圃場で円形或いは扇形状に水平面方向に散水したり、防除を行える可搬式の揺動散水防除機は公知である。（例えば、実用新案文献１参照）。
このような揺動散水防除機においては、散布ノズルを自動的に回転させるための回転機構部を有しており、散布ノズルに散布ノズルを回転させるための動力ノズルを連通連結するとともに、該動力ノズルからの水を受けて回転する回転羽根を取り付けて、散布ノズルに対して回転する回転羽根を散布ノズルに係合させて、散布ノズルを自動的に一定角度づつ回転させて、広範囲にわたる散水を行うようにしていた。
【０００３】
【実用新案文献１】
実開平０７−３７３８号公報
【０００４】
【発明が解決しようとする課題】
しかし、従来の揺動散水防除機は、前記散布ノズルにて一定の範囲内において散水を行っていたが、遠距離における散水を行っている為に、ノズルから近距離における散水がなされず、散水範囲内において散水むらが生じて、満遍なく散水を行うことができなかった。
そこで、本発明では、散水範囲内において散水むらなく、満遍なく散水を行うことができるノズル構造を提供する。
【０００５】
【課題を解決するための手段】
本発明の解決しようとする課題は以上の如くであり、次にこの課題を解決するための手段を説明する。
【０００６】
即ち、請求項１においては、送水管の先端に連通する吐水管を、送水管に連通するノズルパイプと該ノズルパイプの先端の吐出口に取り付けるノズルより構成し、該ノズルパイプ内に直線状の遠距離用送水通路と、途中から斜めに延設した近距離用送水通路とを構成して二股に分岐し、遠距離用送水通路の吐出口に遠距離用ノズルを、近距離用送水通路の吐出口に近距離用ノズルを、それぞれ取り付けたものである。
【０００７】
請求項２においては、前記ノズルパイプは、ノズルパイプの長手方向を中心に１８０度回転可能に装着されるものである。
【０００８】
請求項３においては、前記遠距離用ノズルのノズル孔は、流入口から吐出口へ行くに従って小径に形成し、該ノズル孔の内壁における流入口側端から吐出口側端へかけて溝を形成したものである。
【０００９】
【発明の実施の形態】
次に、発明の実施の形態を説明する。なお、図１におけるＡ方向を前方とする。
図１は本発明の吐水管を示す側面図、図２（ａ）はノズルパイプの側面、（ｂ）は同じく側面断面図、図３（ａ）は同じく正面図、（ｂ）は同じく後面図、図４は同じく平面図である。
図５（ａ）は近距離用ノズルの正面図、（ｂ）は同じく側面断面図、図６（ａ）は遠距離用ノズルの側面図、（ｂ）は同じく後面図、図７は同じく平面図、図８（ａ）は別実施例の遠距離用ノズルの正面図、（ｂ）は同じく側面断面図、図９は別実施例の遠距離用ノズルを装着したノズル構造を示す側面図、図１０は本発明の吐水管の使用形態を示す図である。
【００１０】
本発明の吐水管の構造について説明する。
本発明の吐水管１０は、果樹園等の防除作業や散水作業に使用する回転（または揺動）散水防除機に取り付けられるもので、送水管や送水ホースの先端に連通される。該回転散水防除機における、垂直方向を軸とする回転機構部に吐水管１０を着脱可能に取り付けている。
該吐水管１０は、送水管に連通するノズルパイプ１と、該ノズルパイプ１の先端の吐出口２２・２３に取り付けるノズル４・３等より構成されている。
【００１１】
まず、ノズルパイプについて説明する。
図１乃至図４に示すように、ノズルパイプ１は、内部に送水通路２が形成されており、一側（後側）には流入口２１、他側（前側）には吐出口２２・２３が形成されている。
該ノズルパイプ１には、一箇所の流入口２１と二箇所の吐出口２２・２３を設けており、つまり、送水通路２を途中で分岐した二股に形成しており、二箇所の吐出口２２・２３から薬液等を吐水できる構成としている。
該送水通路２は、流入口２１から略水平（一直線状に、かつ、軸心上）に形成されている遠距離用送水通路２４と、遠距離用送水通路２４の基部近傍の途中から斜め下方に（「く」字状に曲げられて）延設されている近距離用送水通路２５とが形成されている。
【００１２】
該近距離用送水通路２５の端部には、近距離用吐出口２３が形成されており、該近距離用吐出口２３に近距離用ノズル３が装着されている。一方、該遠距離用送水通路２４の端部には、遠距離用吐出口２２が形成されており、該遠距離用吐出口２２に遠距離用ノズル４が装着されている。なお、近距離用吐出口２３は遠距離用吐出口２２よりも流入口２１側に配置している。
ここで、遠距離用ノズル４は、ノズルパイプ１を中心に円形に液体を散布しており、その遠距離の散布範囲とノズルパイプとの間を近距離用ノズル３により液体を散布するようにして、散水範囲内において散水むらなく、満遍なく散水を行うことができるようにしている。
【００１３】
前記ノズルパイプ１には、取付部１１が形成されている。該取付部１１は、ノズルパイプ１の一側側面に形成されており、回転散水防除機に固定する際使用するものである。該取付部１１は、ボルト等を挿入する固定穴１１ａ・１１ａが形成されている。
また、前記ノズルパイプ１は、回転機構部に対して、その上下位置を変更可能に装着できる構成としている。
【００１４】
次に、前記近距離用ノズル３について説明する。
図５に示すように、近距離用ノズル３は、前記近距離用吐出口２３に螺装する挿入部３１と、該挿入部３１より径が大きく、六角形状に形成されたノズル部３２とが一体的に形成されて構成されている。
該近距離用ノズル３の内部にはノズル孔３３が形成されており、該ノズル孔３３の一側には流入口３５、他側には吐出口３４が形成されている。
また、前記ノズル部３２の先端の一部に切欠き３２ａが形成されている。該切欠き３２ａは、正面視略扇形状に形成されており、吐出口３４から後側方に向けて形成されている。つまり、軸心となる吐出口３４から正面視で半径方向に徐々に広がる略扇形状に、断面視で吐出口３４端から斜め流入口側に傾斜して切欠き３２ａが形成されている。
【００１５】
前記吐出口３４は、正面視において、中央部に略円形の孔が設けられており、該孔から切欠き３２ａに沿って外側に延出して形成されている。
このように、近距離用ノズル３に切欠き３２ａを設けることで、吐出する液体を直進（軸心と平行）及び斜め方向に飛散させることができ、近距離の防除作業や散水作業を行うことができる。
また、前記近距離用ノズル３の散布距離は、遠距離用ノズル４の散布距離と同じにしており、このような構成とすることで、散布範囲内において平均した散布量を得ることができ、均一に散水を行うことができる。
【００１６】
次に、前記遠距離用ノズル４について説明する。
図１、図６、図７に示すように、遠距離用ノズル４は、前記遠距離用吐出口２２に螺装する挿入部４１、ノズル部４２及びブレーカー等で構成されている。
該遠距離用ノズル４の内部にはノズル孔４３が形成されており、該ノズル孔４３の一側に流入口４５、他側には吐出口４４が形成されている。流入口４５は前記挿入部４１の端部に形成されており、吐出口４４はノズル部４２の端部に形成されている。
前記ノズル孔４３は、流入口４５から吐出口４４へ行くに従って小径に形成されており、吐出口４４から遠距離に散水できるようにしている。
【００１７】
前記ブレーカーは、ブレーカーアーム４６や、ブレーカーピン４７（図１）を有するネジ４８等で構成されている。該ブレーカーアーム４６は、前記ノズル部４２と一体的に形成されており、ノズル部４２の側部から前方に突出して形成されている。
該ブレーカーアーム４６の端部には、ブレーカーピン４７を装着するネジ孔４６ａ（図６）が形成されている。そして、ブレーカーピン４７を先端に形成したネジ４８を、前記ネジ孔４６ａに挿着している。このとき、ネジ頭４８ａとブレーカーアーム４６との間にスプリング４９を介設して、ネジ４８の緩みを防止している。また、ネジ４８の位置を変更することで、水束の破砕する量を調節することができる。
このように、遠距離用ノズル４にブレーカーを設けることで、水束を破砕して均一に散水できるようにしている。
【００１８】
次に、前記遠距離用ノズルの別実施例について説明する。
別実施例の遠距離用ノズルは、ブレーカー付きの遠距離用ノズルと同様に、水束を破砕して均一に散水できる構成としている。以下に具体的に説明する。
図８、図９に示すように、別実施例の遠距離用ノズル５は、前記遠距離用吐出口２２に螺装する挿入部５１と、該挿入部５１より径が大きく、六角形状に形成されたノズル部５２とを一体的に形成して構成している。
該遠距離用ノズル５は、正面の中央部に吐出口５４が形成されており、後面に流入口５５が形成されており、該吐出口５４と流入口５５とをノズル孔５３により連通している。
前記ノズル孔５３は、流入口５５から吐出口５４へ行くに従って小径に形成されており、吐出口５４から遠距離に散水するようにしている。
【００１９】
また、ノズル孔５３の内壁における流入口５５側端から吐出口５４側端へかけて溝５６が形成されている。該溝５６は、流入口５５側と吐出口５４側とで深さを同じとしており、該溝５６は正面視において円弧状に形成されている。つまり、吐出口５４の直径よりも若干小さい円筒形状の溝５６を、遠距離用ノズル５内部に開口した円錐状のノズル孔５３の上側斜辺と平行に、軸心を左右一側（左側）に偏心させて穿設している。
このように、ノズル孔５３に溝５６を形成することで、ノズル孔５３は吐出口５４が流入口５５に比べて小さく形成されているのに対して、前記溝５６は、吐出口５４と流入口５５が同じ径に形成されているため、溝５６を通って吐出口５４に向かう液体の流速は、ノズル孔５３を通って吐出口５４に向かう液体の流速に比べて遅くなる。よって、流速の違う液体が、吐出口５４近傍で衝突しながら外部に散水するため、水束を破砕でき、ブレーカーを使用したときと同様に、均一に散水できるようにしている。
このように、ノズル孔５３に溝５６を形成することで、ブレーカーを装着しなくても、水束を破砕して均一に散水することができ、コスト削減を図ることができる。
【００２０】
次に、ノズル構造の使用形態について説明する。
本実施例のノズル構造を例えば、ぶどう棚畑の防除および散水に使用する。
図１０に示すように、回転散水防除機６を散布する範囲の中央部に配置し、該回転散水防除機６の垂直方向を軸とする回転機構部６１に、前記ノズルパイプ１及び遠距離用・近距離用ノズル３・４を装着する。
このとき、近距離用ノズル３を上部に、遠距離用ノズル４を下部に位置するように、ノズルパイプ１を回転機構部６１に装着すると、ブレーカーピン４７が上方に向けて配置されて上方に散水されるため、図１０（ａ）に示すように、ぶどうの葉の消毒を行うことができる。
【００２１】
また、図１０（ｂ）に示すように、ぶどう棚下方の畑に散水する際は、前記ノズルパイプ１を、回転機構部６１に対してその上下位置を変更して（ノズルパイプ１の長手方向を中心に１８０度回転させて）、近距離用ノズル３を下部に、遠距離用ノズル４を上部に配置して、ぶどう棚畑の散水を行う。
以上のように、前記ノズルパイプ１の上部及び下部に吐出口２２・２３を設け、上部の吐出口２２に遠距離用ノズル４を、下部の吐出口２３に近距離用ノズル３を取り付けることで、散布範囲内において散布むらがなく、満遍なく散水を行うことができる。
また、前記ノズルパイプ１は、回転機構部６１に対して、その上下位置を変更可能に装着されるので、目的に合わせてノズルパイプ１の取付方向を換えて、散水方向を変更することができる。
【００２２】
【発明の効果】
本発明は、以上のように構成したので、以下に示すような効果を奏する。
【００２３】
即ち、請求項１に示す如く、送水管の先端に連通する吐水管を、送水管に連通するノズルパイプと該ノズルパイプの先端の吐出口に取り付けるノズルより構成し、該ノズルパイプ内に直線状の遠距離用送水通路と、途中から斜めに延設した近距離用送水通路とを構成して二股に分岐し、遠距離用送水通路の吐出口に遠距離用ノズルを、近距離用送水通路の吐出口に近距離用ノズルを、それぞれ取り付けたので、散布範囲内において散布むらがなく、満遍なく均一に散水を行うことができる。
【００２４】
請求項２に示す如く、前記ノズルパイプは、ノズルパイプの長手方向を中心に１８０度回転可能に装着されるので、目的に合わせてノズルパイプ１の取付方向を換えて、散水方向を変更することができる。
【００２５】
請求項３に示す如く、前記遠距離用ノズルのノズル孔は、流入口から吐出口へ行くに従って小径に形成し、該ノズル孔の内壁における流入口側端から吐出口側端へかけて溝を形成したので、簡単な構成でブレーカーと同様の効果を得ることができ、また、コスト削減を図ることもできる。
【図面の簡単な説明】
【図１】本発明の吐水管を示す側面図。
【図２】（ａ）はノズルパイプの側面、（ｂ）は同じく側面断面図。
【図３】（ａ）は同じく正面図、（ｂ）は同じく後面図。
【図４】同じく平面図。
【図５】（ａ）は近距離用ノズルの正面図、（ｂ）は同じく側面断面図。
【図６】（ａ）は遠距離用ノズルの側面図、（ｂ）は同じく後面図。
【図７】同じく平面図。
【図８】（ａ）は別実施例の遠距離用ノズルの正面図、（ｂ）は同じく側面断面図。
【図９】別実施例の遠距離用ノズルを装着したノズル構造を示す側面図。
【図１０】本発明の吐水管の使用形態を示す図。
【符号の説明】
１  ノズルパイプ
３  近距離用ノズル
４  遠距離用ノズル
１０  吐水管
２２  吐出口
２３  吐出口
２４  遠距離用送水通路
２５  近距離用送水通路
【図１】
2005007356.tif 000003
【図２】
2005007356.tif 000004
【図３】
2005007356.tif 000005
【図４】
2005007356.tif 000006
【図５】
2005007356.tif 000007
【図６】
2005007356.tif 000008
【図７】
2005007356.tif 000009
【図８】
2005007356.tif 000010
【図９】
2005007356.tif 000011
【図１０】
2005007356.tif 000012